(57)【要約】【課題】薬剤吐出操作時において、ガスケットの押圧前進時に、プランジャの所定量回転毎に音を発することができるシリンジ用ガスケット押圧具を提供する。【解決手段】  シリンジ用ガスケット押圧具は、ガスケット押圧部材８と音発生部材９とを備える組立体６、シリンジ装着部材４、プランジャ５とを備える。プランジャは、シリンジ装着部材側螺合部４６と螺合するシリンジ装着部材側螺合部５５と、爪弾きリブ５４を、音発生部材９は、弾性変形可能な爪部９２，９３を、ガスケット押圧部材は、爪部に当接する壁部８８，８９を備え、爪部は、壁部より突出する爪先部９２ａ，９３ａを備える。プランジャが組立体を押圧可能な状態において、爪弾きリブ５４は、爪先部の側方に位置し、プランジャの回転により、爪弾きリブは爪先部に当接し変形させて通過し、通過後の復元時に壁部に当接し音を発生させる。【選択図】図３０
2019170977.tif 000002
【特許請求の範囲】
【請求項１】
バレルと、前記バレル内を摺動可能であるガスケットとを有するシリンジに装着して使用されるシリンジ用ガスケット押圧具であって、
前記ガスケット押圧具は、ガスケット押圧部材と、音発生部材とを備えるガスケット押圧用組立体と、シリンジ装着部を有し前記ガスケット押圧用組立体を移動可能に収納するシリンジ装着部材と、前記シリンジ装着部材内に先端側が進入し、回転により前記ガスケット押圧用組立体を押圧可能であるプランジャとを備え、
前記音発生部材は、弾性変形可能である爪部を備え、前記ガスケット押圧部材は、前記爪部に当接する壁部を備え、前記爪部は、前記壁部より突出する爪先部を備え、
前記プランジャは、先端部の側面に設けられた爪弾きリブを備え、
前記プランジャが、前記ガスケット押圧用組立体を押圧可能に当接しない状態において、前記爪弾きリブは、前記爪先部より後方に位置し、前記プランジャが、前記ガスケット押圧用組立体を押圧可能に当接した状態において、前記爪弾きリブは、前記爪先部の側方に位置し、前記プランジャの回転により、前記プランジャが前進し、前記ガスケット押圧用組立体を前進させるとともに、前記爪弾きリブは、前記爪先部に当接し、前記爪部を変形させて通過するとともに、通過後に復元した前記爪部の前記壁部への当接により、音が発生するものとなっていることを特徴とするシリンジ用ガスケット押圧具。
【請求項２】
前記ガスケット押圧部材は、前記ガスケット内に進入可能な本体部と、後端部に設けられたフランジと、音発生部材収納部と、軸方向に伸びる前記壁部と、前記音発生部材との係合部と、プランジャ当接部とを備えている請求項１に記載のシリンジ用ガスケット押圧具。
【請求項３】
前記音発生部材は、筒状本体部と、前記筒状本体部の内面より先端方向に突出する前記爪部を備え、前記爪部は、前記筒状本体部の内面に固定された基部と、前記基部より前方に突出した湾曲部と、後端方向を向いた前記爪先部を備えている請求項１または２にシリンジ用ガスケット押圧具。
【請求項４】
前記爪先部は、先端に向かって先細りとなっている請求項１ないし３のいずれかに記載のシリンジ用ガスケット押圧具。
【請求項５】
前記爪部は、２つ設けられており、２つの前記爪先部は、ほぼ向かい合うものとなっている請求項１ないし４のいずれかに記載のシリンジ用ガスケット押圧具。
【請求項６】
前記プランジャは、シャフト部と、前記シャフト部の先端部に設けられた前記爪弾きリブを保有する先端基部と、前記先端基部より突出する円柱状突出部と、前記シャフト部の後端部に設けられたハンドル部とを備える請求項１ないし５のいずれかに記載のシリンジ用ガスケット押圧具。
【請求項７】
前記爪弾きリブは、複数設けられている請求項１ないし６のいずれかに記載のシリンジ用ガスケット押圧具。
【請求項８】
前記爪弾きリブは、３つ以上の奇数個設けられているとともに、それらの爪弾きリブは、プランジャの中心軸に対して等角度となるように配置されている請求項１ないし６のいずれかに記載のシリンジ用ガスケット押圧具。
【請求項９】
前記爪弾きリブは、前記プランジャの螺合進行方向への回転時に、前記爪先部と当接するほぼ起立面を備えている請求項１ないし８のいずれかに記載のシリンジ用ガスケット押圧具。
【請求項１０】
前記シリンジ装着部は、前記シリンジのフランジを有する基端部を収納可能であるフランジ収納部を備えている請求項１ないし９のいずれかに記載のシリンジ用ガスケット押圧具。
【請求項１１】
前記シリンジ装着部材は、前記フランジ収納部より後端側に位置する内腔を備え、前記内腔の内面に、シリンジ装着部材側螺合部を備え、前記プランジャは、前記シャフト部の外面に、前記シリンジ装着部材側螺合部と螺合なシャフト側螺合部を備えている請求項１０に記載のシリンジ用ガスケット押圧具。
【請求項１２】
前記シリンジ装着部材側螺合部は、短い螺旋状突起であり、前記シャフト側螺合部は、前記螺旋状突起が螺合可能に進入する螺旋状溝である請求項１１に記載のシリンジ用ガスケット押圧具。
【請求項１３】
請求項１ないし１２のいずれかに記載のシリンジ用ガスケット押圧具と、バレルと、前記バレル内に充填された薬液と、前記バレル内に摺動可能に収納された前記ガスケットとを有するプレフィルドシリンジとを備え、前記プレフィルドシリンジが、前記シリンジ用ガスケット押圧具の前記シリンジ装着部に装着されていることを特徴とする薬液投与具。
【発明の詳細な説明】
【技術分野】
【０００１】
本発明は、シリンジ用ガスケット押圧具およびそれを備えた薬液投与具に関する。
【背景技術】
【０００２】
従来、比較的高粘度の薬液をシリンジバレルから排出するために、ネジの螺合作用によってプランジャを前進させるように構成された、いわゆるネジ付きシリンジが、提案されている。このようなタイプのシリンジとしては、例えば、特表２００５−５３５４１５号公報（特許文献１）がある。特許文献１のネジ付きシリンジでは、プランジャの回転具合を医師に触覚的又は聴覚的に提供するために、プランジャの回転時にクリック音を発生させる機構が設けられている。この機構では、プランジャに設けられた溝にクリック片が係合する際の衝撃によって、クリック音が発生するようになっている。
【先行技術文献】
【特許文献】
【０００３】
【特許文献１】特表２００５−５３５４１５号公報
【発明の概要】
【発明が解決しようとする課題】
【０００４】
特許文献１の機構では、プランジャの回転速度によって、発生するクリック音の大きさが異なり、プランジャをゆっくり回した場合、クリック音がほとんど発生しない。
また、最近では、高粘性物質の局所的注入を用いた内視鏡的粘膜切除術が行われるようになってきている。高粘性物質としては、薬剤であるヒアルロン酸が一般的に用いられている。内視鏡的粘膜切除術としては、例えば、内視鏡を用いてた消化管内壁の部分切除術が行われる。内視鏡的粘膜切除術において、内視鏡操作と高粘性物質注入は、異なる術者において行われる。このため、内視鏡操作者が、高粘性物質の注入量を把握することが難しい。上記のようなクリック音が発生する薬剤投与器であれば、クリック音により、注入量の把握が可能である。しかし、この場合、クリック音は、注入時のみに発生すことが好ましく、例えば、逆回転時や空転時には、発生しないことが要求される。
本発明の目的は、薬剤吐出操作時において、プランジャの所定量回転毎に、ある程度の大きさの音を発することができ、かつ、ガスケットを押圧し前進させる時にのみ音が発生するシリンジ用ガスケット押圧具およびそれを備えた薬液投与具を提供する。
【課題を解決するための手段】
【０００５】
上記目的を達成するものは、以下のものである。
（１）  バレルと、前記バレル内を摺動可能であるガスケットとを有するシリンジに装着して使用されるシリンジ用ガスケット押圧具であって、
前記ガスケット押圧具は、ガスケット押圧部材と、音発生部材とを備えるガスケット押圧用組立体と、シリンジ装着部を有し前記ガスケット押圧用組立体を移動可能に収納するシリンジ装着部材と、前記シリンジ装着部材内に先端側が進入し、回転により前記ガスケット押圧用組立体を押圧可能であるプランジャとを備え、
前記音発生部材は、弾性変形可能である爪部を備え、前記ガスケット押圧部材は、前記爪部に当接する壁部を備え、前記爪部は、前記壁部より突出する爪先部を備え、
前記プランジャは、先端部の側面に設けられた爪弾きリブを備え、
前記プランジャが、前記ガスケット押圧用組立体を押圧可能に当接しない状態において、前記爪弾きリブは、前記爪先部より後方に位置し、前記プランジャが、前記ガスケット押圧用組立体を押圧可能に当接した状態において、前記爪弾きリブは、前記爪先部の側方に位置し、前記プランジャの回転により、前記プランジャが前進し、前記ガスケット押圧用組立体を前進させるとともに、前記爪弾きリブは、前記爪先部に当接し、前記爪部を変形させて通過するとともに、通過後に復元した前記爪部の前記壁部への当接により、音が発生するものとなっているシリンジ用ガスケット押圧具。
【０００６】
（２）  前記ガスケット押圧部材は、前記ガスケット内に進入可能な本体部と、後端部に設けられたフランジと、音発生部材収納部と、軸方向に伸びる前記壁部と、前記音発生部材との係合部と、プランジャ当接部とを備えている上記（１）に記載のシリンジ用ガスケット押圧具。
（３）  前記音発生部材は、筒状本体部と、前記筒状本体部の内面より先端方向に突出する前記爪部を備え、前記爪部は、前記筒状本体部の内面に固定された基部と、前記基部より前方に突出した湾曲部と、後端方向を向いた前記爪先部を備えている上記（１）または（２）にシリンジ用ガスケット押圧具。
（４）  前記爪先部は、先端に向かって先細りとなっている上記（１）ないし（３）のいずれかに記載のシリンジ用ガスケット押圧具。
（５）  前記爪部は、２つ設けられており、２つの前記爪先部は、ほぼ向かい合うものとなっている上記（１）ないし（４）のいずれかに記載のシリンジ用ガスケット押圧具。
（６）  前記プランジャは、シャフト部と、前記シャフト部の先端部に設けられた前記爪弾きリブを保有する先端基部と、前記先端基部より突出する円柱状突出部と、前記シャフト部の後端部に設けられたハンドル部とを備える上記（１）ないし（５）のいずれかに記載のシリンジ用ガスケット押圧具。
（７）  前記爪弾きリブは、複数設けられている上記（１）ないし（６）のいずれかに記載のシリンジ用ガスケット押圧具。
（８）  前記爪弾きリブは、３つ以上の奇数個設けられているとともに、それらの爪弾きリブは、プランジャの中心軸に対して等角度となるように配置されている上記（１）ないし（６）のいずれかに記載のシリンジ用ガスケット押圧具。
（９）  前記爪弾きリブは、前記プランジャの螺合進行方向への回転時に、前記爪先部と当接するほぼ起立面を備えている上記（１）ないし（８）のいずれかに記載のシリンジ用ガスケット押圧具。
（１０）  前記シリンジ装着部は、前記シリンジのフランジを有する基端部を収納可能であるフランジ収納部を備えている上記（１）ないし（９）のいずれかに記載のシリンジ用ガスケット押圧具。
（１１）  前記シリンジ装着部材は、前記フランジ収納部より後端側に位置する内腔を備え、前記内腔の内面に、シリンジ装着部材側螺合部を備え、前記プランジャは、前記シャフト部の外面に、前記シリンジ装着部材側螺合部と螺合なシャフト側螺合部を備えている上記（１０）に記載のシリンジ用ガスケット押圧具。
（１２）  前記シリンジ装着部材側螺合部は、短い螺旋状突起であり、前記シャフト側螺合部は、前記螺旋状突起が螺合可能に進入する螺旋状溝である上記（１１）に記載のシリンジ用ガスケット押圧具。
【０００７】
また、上記目的を達成するものは、以下のものである。
（１３）  上記（１）ないし（１２）のいずれかに記載のシリンジ用ガスケット押圧具と、バレルと、前記バレル内に充填された薬液と、前記バレル内に摺動可能に収納された前記ガスケットとを有するプレフィルドシリンジとを備え、前記プレフィルドシリンジが、前記シリンジ用ガスケット押圧具の前記シリンジ装着部に装着されている薬液投与具。
【発明の効果】
【０００８】
本発明のシリンジ用ガスケット押圧具は、バレルと、前記バレル内を摺動可能であるガスケットとを有するシリンジに装着して使用される。シリンジ用ガスケット押圧具は、ガスケット押圧部材と、ガスケット押圧部材に装着された音発生部材とからなるガスケット押圧用組立体と、シリンジ装着部を有しガスケット押圧用組立体を移動可能に収納するシリンジ装着部材と、シリンジ装着部材内に先端側が進入し、回転によりガスケット押圧用組立体を押圧可能であるプランジャとを備える。音発生部材は、弾性変形可能である爪部を備え、ガスケット押圧部材は、爪部に当接する壁部を備え、爪部は、壁部より突出する爪先部を備え、プランジャは、先端部の側面に設けられた爪弾きリブを備える。プランジャが、ガスケット押圧用組立体を押圧可能に当接しない状態において、爪弾きリブは、爪先部より後方に位置し、プランジャが、ガスケット押圧用組立体を押圧可能に当接した状態において、爪弾きリブは、爪先部の側方に位置し、プランジャの回転により、プランジャが前進し、ガスケット押圧用組立体を前進させるとともに、爪弾きリブは、爪先部に当接し、爪部を変形させて通過するとともに、通過後に復元した爪部の壁部への当接により、音が発生するものとなっている。
【０００９】
このシリンジ用ガスケット押圧具では、プランジャが、ガスケット押圧用組立体を押圧可能に当接した状態において、プランジャを前進する方向に回転させると、先端部に設けられた爪弾きリブが、音発生部材の爪先部を弾き、弾かれた爪先部は、弾性変形後の復元力によって戻り、ガスケット押圧部材の壁部に衝突する。そして、衝突時に衝突音を発生させる。衝突音は、プランジャの回転速度によらず一定の大きさのものが発生し、プランジャをゆっくり回した場合でも、確実に発生する。また、プランジャが、ガスケット押圧用組立体を押圧可能に当接しない状態において、爪弾きリブは、爪先部より後方に位置するため、その状態において、プランジャを回転させても、爪弾きリブは、爪先部に当接しないため、音の発生はない。
【００１０】
また、本発明の薬液投与具は、上記のシリンジ用ガスケット押圧具と、バレルと、バレル内に充填された薬液と、バレル内に摺動可能に収納されたガスケットとを有するプレフィルドシリンジとを備え、プレフィルドシリンジが、シリンジ用ガスケット押圧具のシリンジ装着部に装着されたものである。
この薬液投与具によれば、プランジャの回転量および薬液の投与量を、発生する音により、容易に把握することができる。
【図面の簡単な説明】
【００１１】
【図１】図１は、本発明の実施例の薬液投与具の正面図である。
【図２】図２は、図１のＡ−Ａ線断面図である。
【図３】図３は、シリンジが取り付けられた本発明の実施例のシリンジ用ガスケット押圧具の正面図である。
【図４】図４は、図３に示したシリンジ用ガスケット押圧具の左側面図である。
【図５】図５は、図３に示したシリンジ用ガスケット押圧具の拡大底面図である。
【図６】図６は、図３のＢ−Ｂ線拡大断面図である。
【図７】図７は、図３のＣ−Ｃ線断面図である。
【図８】図８は、図４のＤ−Ｄ線断面図である。
【図９】図９は、図３に示したシリンジ用ガスケット押圧具の斜視図である。
【図１０】図１０は、図３に示したシリンジ用ガスケット押圧具に用いられている構成部品を説明するための説明図である。
【図１１】図１１は、図３に示したシリンジ用ガスケット押圧具に用いられているガスケット押圧用組立体の正面図である。
【図１２】図１２は、図１１に示したガスケット押圧用組立体の底面図である。
【図１３】図１３は、図１１のＥ−Ｅ線断面図である。
【図１４】図１４は、図１１に示したガスケット押圧用組立体に用いられているガスケット押圧部材の正面図である。
【図１５】図１５は、図１４のＦ−Ｆ線断面図である。
【図１６】図１６は、図１４に示したガスケット押圧部材の底面図である。
【図１７】図１７は、図１４に示したガスケット押圧部材を斜め下方から見た斜視図である。
【図１８】図１８は、図１１に示したガスケット押圧用組立体に用いられている音発生部材の正面図である。
【図１９】図１９は、図１４に示した音発生部材の底面図である。
【図２０】図２０は、図１８のＧ−Ｇ線断面図である。
【図２１】図２１は、図３に示したシリンジ用ガスケット押圧具に用いられているシリンジ装着部材の左側面図を横向きにした図である。
【図２２】図２２は、図２１に示した状態のシリンジ装着部材の底面図である。
【図２３】図２３は、図２２のＨ−Ｈ線断面図である。
【図２４】図２４は、図２１に示した状態のガスケット押圧部材を斜め上方から見た斜視図である。
【図２５】図２５は、図２２に示した状態のガスケット押圧部材を斜め下方から見た斜視図である。
【図２６】図２６は、図３に示したシリンジ用ガスケット押圧具に用いられているプランジャの拡大正面図である。
【図２７】図２７は、図２６に示したプランジャの左側面図である。
【図２８】図２８は、図２６に示したプランジャの先端部の拡大斜視図である。
【図２９】図２９は、本発明の音発生機構を説明するための説明用断面図である。
【図３０】図３０は、本発明の音発生機構を説明するための説明用断面図である。
【図３１】図３１は、本発明の音発生機構を説明するための説明用断面斜視図である。
【図３２】図３２は、本発明の音発生機構を説明するための説明用断面図である。
【図３３】図３３は、本発明の音発生機構を説明するための説明用断面図である。
【図３４】図３４は、本発明の音発生機構を説明するための説明用断面斜視図である。
【図３５】図３５は、シリンジが取り付けられた本発明の他の実施例のシリンジ用ガスケット押圧具の正面図である。
【図３６】図３６は、図３５に示したシリンジ用ガスケット押圧具の縦断面図である。
【図３７】図３７は、図３５に示したシリンジ用ガスケット押圧具の斜視図である。
【図３８】図３８は、図３５に示したシリンジ用ガスケット押圧具に用いられているシリンジ装着部材の左側面図を横向きにした図である。
【図３９】図３９は、図３８に示した状態のシリンジ装着部材の底面図である。
【図４０】図４０は、図３８のＪ−Ｊ線断面図である。
【図４１】図４１は、図３９のＫ−Ｋ線断面図である。
【図４２】図４２は、図３８に示した状態のシリンジ装着部材の左側面図である。
【図４３】図４３は、図３５に示したシリンジ用ガスケット押圧具に用いられているガスケット押圧用組立体の拡大縦断面図である。
【図４４】図４４は、図３５に示したシリンジ用ガスケット押圧具に用いられているガスケット押圧用組立体の構成部品を説明するための説明図である。
【図４５】図４５は、図３５に示したシリンジ用ガスケット押圧具に用いられているガスケット押圧部材の拡大底面図である。
【図４６】図４６は、図３５に示したシリンジ用ガスケット押圧具に用いられているジョイント部材の拡大平面図である。
【図４７】図４７は、図３５に示したシリンジ用ガスケット押圧具に用いられているプランジャの拡大正面図である。
【図４８】図４８は、図４７に示したプランジャの先端部の拡大図である。
【図４９】図４９は、本発明の他の実施例の薬液投与具の縦断面図である。
【図５０】図５０は、本発明の薬液投与具を用いた治療方法を説明するための説明図である。
【図５１】図５１は、本発明の薬液投与具を用いた治療方法を説明するための説明図である。
【図５２】図５２は、本発明の薬液投与具を用いた治療方法を説明するための説明図である。
【図５３】図５３は、本発明の薬液投与具を用いた治療方法を説明するための説明図である。
【図５４】図５４は、本発明の薬液投与具を用いた治療方法を説明するための説明図である。
【発明を実施するための形態】
【００１２】
本発明のシリンジ用ガスケット押圧具および薬液投与具を図面に示した実施例を用いて説明する。
本発明の薬液投与具１は、シリンジ用ガスケット押圧具３と、バレル２０と、バレル２０内に充填された薬液１１と、バレル２０内に摺動可能に収納されたガスケット７とを有するプレフィルドシリンジ２とを備え、プレフィルドシリンジ２が、シリンジ用ガスケット押圧具３のシリンジ装着部４３に装着されたものである。
【００１３】
本発明のシリンジ用ガスケット押圧具３は、バレル２０と、バレル２０内に摺動可能に収納されたガスケット７を有するシリンジに装着して使用される。
シリンジ用ガスケット押圧具３は、ガスケット押圧部材８と、音発生部材９とを備えるガスケット押圧用組立体６と、シリンジ装着部４３を有しガスケット押圧用組立体６を移動可能に収納するシリンジ装着部材４と、シリンジ装着部材４内に先端側が進入し回転により（回転による進行により）ガスケット押圧用組立体６を押圧可能（押圧進行可能）であるプランジャ５とを備える。
【００１４】
音発生部材９は、弾性変形可能（具体的には、ガスケット押圧部材８の軸に対して周方向に弾性変形可能）である爪部９２，９３を備える。ガスケット押圧部材８は、爪部９２，９３に当接（具体的には、当接かつ押圧）する壁部８８，８９を備える。爪部９２，９３は、壁部８８，８９より、後方に突出する爪先部９２ａ，９３ａを備える。プランジャ５は、先端部の側面に設けられた爪弾きリブ５４を備える。プランジャ５（具体的には、先端部）が、ガスケット押圧用組立体６を押圧可能に当接しない状態（押圧しない状態）において、爪弾きリブ５４は、爪先部９２ａ，９３ａより後方に位置し、プランジャ５（具体的には、先端部）が、ガスケット押圧用組立体６を押圧可能に当接した状態（押圧可能状態）において、爪弾きリブ５４は、爪先部９２ａ，９３ａの側方に位置しする。プランジャ５の回転により、プランジャ５が前進し、ガスケット押圧用組立体６を前進させるとともに、爪弾きリブ５４は、爪先部９２ａ，９３ａに当接し、爪部９２，９３を変形させて通過し、通過後に復元した爪部９２，９３が、壁部８８，８９に当接することにより、音が発生するものとなっている。
【００１５】
図１および図２に示す薬液投与具１は、プレフィルドシリンジ２と、それを装着したガスケット押圧具３とからなる。
図２に示すように、プレフィルドシリンジ２は、バレル２０と、バレル２０内に充填された薬液１１と、バレル２０内に摺動可能に収納されたガスケット７と、バレル２０の先端を封止するシールキャップ２１を備えており、いわゆるプランジャは備えていない。バレル２０は、先端に薬液排出用のノズル２２と、それを被包するように設けられたカラー部２４を備え、後端部に外方に突出したフランジ２３を備えている。
【００１６】
そして、図１および図２に示す薬液投与具１では、ガスケット押圧用組立体６は、ガスケット７より後方に位置しており、ガスケット７に装着されていない状態となっている。使用時に、プランジャ５を回転させ、前進させることにより、図３、図４ないし図６に示すように、ガスケット押圧用組立体６は、ガスケット７に装着される。ガスケット押圧用組立体６は、ガスケット装着部材ということもできる。なお、図３以降では、シリンジ２は、薬液およびシールキャップを省略したものとしている。
【００１７】
図１ないし図９に示すように、薬液投与具１は、ガスケット押圧具３を有する。上述したように、図３、図４ないし図６に示すものでは、ガスケット押圧用組立体６は、ガスケット７に装着されている。
ガスケット押圧具３は、ガスケット押圧用組立体６と、それを後方より押圧するためのプランジャ５と、ガスケット押圧用組立体６およびプランジャ５をシリンジ２に装着するためのシリンジ装着部材４を備える。
【００１８】
ガスケット押圧用組立体６は、図１０ないし図１３に示すように、ガスケット押圧部材８と、ガスケット押圧部材８に装着された音発生部材９とからなる。ガスケット押圧部材８は、図１４ないし図１７に示すように、ガスケット７内に進入し、ガスケットの内面と接触するガスケット内進入部８０と、ガスケット内進入部８０の後部に形成されたフランジ部８１と、フランジ部８１より後方に延びる円筒部８２を備えている。
【００１９】
そして、ガスケット内進入部８０は、先端閉塞部と、フランジ部８１より先端閉塞部の後端まで延びるテーパー状縮径部を備えている。また、ガスケット押圧部材８は、円筒部８２に設けられた向かい合う２つの変型可能部８３と、各変型可能部内に設けられた係合用窓部８４を備えている。この変型可能部８３と係合用窓部８４により、音発生部材９との係合部が形成されている。
【００２０】
さらに、ガスケット押圧部材８は、図１０ないし図１７に示すように、内部に、音発生部材収納部と、軸方向に伸びる壁部８８，８９と、プランジャ当接部６２と、柱状凹部８５とを備えている。図１６に示すように、ガスケット押圧部材８は、中心に、柱状凹部８５を有する円筒部を備え、円筒部より側方に延びる４つの仕切部を備える。ガスケット押圧部材８内は、４つの仕切部により、４つの軸方向に延びる空間が形成されている。壁部８８，８９は、ガスケット押圧部材の内部に形成された円筒部の中心軸より若干ずれて向かい合う２つの仕切部により、形成されている。また、プランジャ当接部６２は、柱状凹部８５を有する円筒部の後端面により形成されいている。柱状凹部８５は、所定長先端方向に延びる円柱状の凹部となっている。
【００２１】
音発生部材９は、図１０ないし図１３、図１８ないし図２０に示すように、筒状本体部９１と、筒状本体部の内面より先端方向に突出する弾性変形可能な爪部９２，９３と、筒状本体部９１より下方に延びる拡径筒状部９０とを備える。この実施例では、爪部９２，９３は、２つ設けられており、爪先部９２ａ，９３ａは、ほぼ向かい合うものとなっている。
【００２２】
爪部９２，９３は、筒状本体部９１の先端部の内面に接続された基部９２ｃ、９３ｃと、基部９３ｃより前方に突出した湾曲部９２ｂ、９３ｂと、湾曲部９２ｂ、９３ｂより延び、後端方向を向く自由端である爪先部９２ａ，９３ａを備えている。湾曲部９２ｂ、９３ｂは、一端側にて基部９３ｃ、９３ｃと連続し、他端側にて、爪先部９２ａ，９３ａと連続している。そして、爪部９２，９３の先端部は、湾曲部９２ｂ、９３ｂにより構成されている。爪先部９２ａ，９３ａと基部９３ｃ、９３ｃは、ほぼ向かい合うものとなっている。
【００２３】
さらに、この実施例では、爪先部９２ａ，９３ａは、筒状本体部９１内に位置している。爪部９２，９３は、爪先部９２ａ，９３ａが、基部９３ｃ、９３ｃに近接する方向に、弾性変形、具体的には、湾曲可能なものとなっている。また、爪先部９２ａ，９３ａの端部は、基部９３ｃ、９３ｃより、後端側に位置している。
【００２４】
また、拡径円筒部９０には、向かい合う２つの変型可能部６３と、各変型可能部６３に設けられた係合用リブ９４を備えている。音発生部材９の係合用リブ９４が、ガスケット押圧部材８の係合用窓部８４と係合することにより、音発生部材９は、ガスケット押圧部材８に装着されている。また、拡径円筒部９０には、側面リブ９５を備えており、この側面リブ９５は、ガスケット押圧部材８の円筒部８２の内面に設けられた向かい合う２つの凹部６１内に進入している。このため、ガスケット押圧部材８内での音発生部材９の回転が規制されている。
【００２５】
そして、図１３に示すように、ガスケット押圧用組立体６において、音発生部材９の爪先部９３ａの先端部は、ガスケット押圧部材８の壁部８９の下端より、後方に位置（言い換えれば、突出）している。同様に、音発生部材９の爪先部９２ａの先端部も、ガスケット押圧部材８の壁部８８の下端より、後方に位置（言い換えれば、突出）している。
【００２６】
さらに、図１２に示すように、音発生部材９の爪部９２，９３の爪先側の側部は、ガスケット押圧部材８の壁部８８，８９に当接し、壁部８８，８９により押圧されることにより、若干基部９２ｃ，９３ｃ方向に湾曲（弾性変形）したものとなっている。また、爪部９２，９３は、ガスケット押圧部材８内に、仕切部により区分された空間部８６，８７に収納されている。
【００２７】
また、この実施例では、図２０、図３０、図３１に示す様に、爪先部９２ａ，９３ａは、先細りとなっている。また、壁部８８，８９と爪部９２，９３のそれぞれの当接面は、良好な音発生のために、平坦面となっている。具体的には、爪先部９２ａ，９３ａの壁部８８、８９と向かい合う面（後述するプランジャ５の螺合進行方向への回転時に、爪弾きリブ５４と当接する面）は、平坦面となっている。また、爪先部９２ａ，９３ａの爪弾きリブ５４と当接する平坦面は、音発生部材９の中心軸に対してほぼ平行となっている。
【００２８】
また、爪先部９２ａ，９３ａの基部９２ｃ，９３ｃ側の面（後述するプランジャ６の螺合後退方向への回転時に、爪弾きリブ５４が接触する可能性がある面）は、先端に向かって、基部９２ｃ，９３ｃより遠ざかる傾斜面となっている。また、爪部９２，９３は、図２０に示すように、基部９２ｃ，９３ｃより上方に伸び、湾曲部９２ｂ、９３ｂにて、Ｕ字状に湾曲し、爪先部９３ａ、９３ａは、後端方向を向く自由端となっている。さらに、爪先部９２ａ，９３ａより、所定長湾曲部側は、他の部分より若干太く形成されている。爪部９２、９３は、全体に渡り断面矩形状となっている。
【００２９】
シリンジ装着部材４は、図１ないし図９、図２１ないし図２５に示すように、 シリンジ装着部４３を備え、特に、図２、図７に示すように、ガスケット押圧用組立体６を移動可能に収納している。
【００３０】
具体的には、シリンジ装着部材４は、本体部４０にシリンジ装着部４３を備える。シリンジ装着部４３は、シリンジ２のバレル２０のフランジ２３を収納する。この実施例では、シリンジ装着部４３は、図２４に示すように、シリンジ２のフランジ２３を一方の長径側より挿入可能（言い換えれば、縦入れ可能）なスリットにより形成されている。このため、シリンジ２が、シリンジ装着部材４に装着された状態では、シリンジ２のフランジ２３の一方の長径部および向かい合う２つの短径部が、シリンジ装着部材４内に収納され、他端側の長径部が露出した状態となっている。また、シリンジ装着部材４内に収納されたフランジの長径部の一端は、スリット開口４４より、露出している。この実施例では、シリンジ装着部４３は、縦長のＵ字状のスリットにより形成されている。
【００３１】
また、この実施例では、シリンジ装着部材４は、図２１ないし図２５に示すように、シリンジ装着部（フランジ収納部）４３を有する本体部４０より、先端側に延びる略半筒部４１を備えており、装着されたシリンジ２の基端部を保持するものとなっている。さらに、シリンジ装着部材４は、本体部４０より後端側に延びる筒状部４２を備えている。この筒状部４２の内部に、ガスケット押圧用組立体の収納部４７を備える。さらに、シリンジ装着部材４は、収納部４７より後方に延びる内腔４５を備え、内腔４５の内面には、シリンジ装着部材側螺合部４６が設けられている。この実施例では、シリンジ装着部材側螺合部４６は、突起となっており、具体的には、短い螺旋状突起となっている。
【００３２】
プランジャ５は、図２ないし図８、図１０，図２６ないし図２８に示すように、シリンジ装着部材４内に先端側が進入し、ガスケット押圧用組立体６を押圧可能なものである。具体的には、プランジャ５は、シャフト部５１と、シャフト部５１の後端部に設けられたハンドル５２とを備える。また、プランジャは、先端部の側面に設けられた複数の爪弾きリブ５４を備える。
シャフト部５１は、外面に設けられた、シリンジ装着部材４のシリンジ装着部材側螺合部４６と螺合なシャフト側螺合部５５を備えている。この実施例では、シャフト側螺合部５５は、シリンジ装着部材側螺合部４６を形成する突起が螺合進行可能に進入する螺旋状溝となっている。プランジャ５は、一方に回転（正回転）させると、その先端部は、シリンジ装着部材内にて、前進し、他方に回転（逆回転）させると、その先端部は、シリンジ装着部材内にて、後退する。
【００３３】
具体的には、図２７，図２８に示すように、シャフト部５１の先端部には、爪弾きリブ５４を外側面に保有する先端基部５７と、先端基部の先端面により形成された環状の当接部５６と、先端基部５７より突出するとともに、当接部の外径より小径の円柱状突出部５３とを備えている。円柱状突出部５３は、ガスケット押圧部材８の中心部に形成された柱状凹部８５（具体的には、円柱状凹部）内に、進入可能かつ進入後において、回転可能となっている。
【００３４】
爪弾きリブ５４は、図６、図２８、図２９に示すように、３つ以上の奇数個設けられているとともに、それらの爪弾きリブ５４は、プランジャ５の中心軸に対して等角度（言い換えれれば、プランジャ５の周方向に等間隔）となるように配置されていることが好ましい。この実施例では、爪弾きリブ５４は、５つ設けられているとともに、プランジャ５の中心軸に対して等角度（プランジャ５の軸の周方向に等間隔）となるように配置されている。
【００３５】
さらに、この実施例では、プランジャ５の螺合進行方向への回転時に、爪先部９２ａ，９３ａと当接する爪弾きリブ５４の面は、プランジャ５の中心軸とほぼ平行に形成されており、かつ、先端基部５７の外周面から、ほぼ起立した面となっている。さらに、爪弾きリブ５４の上記の起立面と反対側の面は、傾斜面となっている。このため、爪弾きリブ５４は、下方（先端基部５７方向）に向かって、肉厚となっている。
【００３６】
ハンドル５２は、シャフト部５１の後端部に形成されており、シャフト部５１より半径方向に延びる２つの突出部により形成されている。そして、この実施例のプランジャ５では、ハンドル部５２より後方に延びるエンド部を備えている。
【００３７】
図８およびその拡大図である図３０に示すように、プランジャ５の環状の当接部５６が、ガスケット押圧用組立体６のプランジャ当接部６２を押圧可能に当接した状態において、爪弾きリブ５４は、爪先部９２ａ，９３ａの側方に位置する。そして、プランジャ５の回転により、プランジャ５が前進し、ガスケット押圧用組立体６を前進させるとともに、爪弾きリブ５４は、爪先部９２ａ，９３ａに当接し、爪部９２，９３を変形させて通過し、通過後に復元した爪部９２，９３の壁部８８，８９への当接により、音が発生するものとなっている。
【００３８】
次に、この実施例のシリンジ用ガスケット押圧具３および薬液投与具１の作用を説明する。
プランジャ５を回転させて進行させることにより、プランジャ５の環状の当接部５６が、ガスケット押圧用組立体６を押圧可能に当接した状態、すなわち、図３０および図３１に示す状態となる。この状態では、プランジャ５の爪弾きリブ５４は、爪先部９２ａ，９３ａの側方に位置する。
【００３９】
そして、プランジャ５を回転させることにより、プランジャ５が前進し、ガスケット押圧用組立体６も前進する。ガスケット押圧用組立体６の前進により、ガスケット７も前進する。そして、図３２に示すように、プランジャ５の爪弾きリブ５４は、音発生部材９の爪先部９２ａ，９３ａに当接し、爪部９２，９３を変形させ、やがて通過する。そして、通過後に、爪部９２，９３は、そのバネ性により、元の形状に復元し、復元の際に、壁部８８，８９に強く当接し、音が発生する。
【００４０】
特に、図示する実施例では、壁部８８は、薄肉後端部８８ａを備えており、復元した爪先部９２ａは、この薄肉後端部８８ａに当接するものとなっている。薄肉後端部が薄肉のため、比較的高い音が発生する。また、この実施例では、２つの爪部９２，９３と、５つの爪弾きリブ５４を備えている。このため、プランジャ５が回転すると１０の衝突音を生じる。言い換えれば、プランジャ５が、３６度回転する毎に、１つの衝突音が生じる。
【００４１】
そして、この実施例のシリンジ用ガスケット押圧具３では、図３３および図３４に示すように、プランジャ５の当接部５６が、ガスケット押圧用組立体６を押圧可能に当接しない状態では、プランジャ５の爪弾きリブ５４は、音発生部材９の爪先部９２ａ，９３ａより後方に位置する。このため、プランジャ５を回転させても、爪弾きリブ５４は、爪先部９２ａ，９３ａに当接しないため、音の発生はない。
【００４２】
また、図３０および図２９に示す状態において、プランジャ５を逆回転（後退方向に回転）させることにより、プランジャ５が後退する。この逆回転時においても、音の発生はない。なお、この実施例の薬液投与具１は、ガスケット押圧用組立体６が、図７に示すように、ガスケット７に装着された状態にて提供されるもの、言い換えれば、その状態が初期状態となっているものであってもよい。なお、プランジャ５は、ガスケット押圧用組立体６に当接していても、していなくてもよい。
【００４３】
次に、図３５ないし図３７に示す実施例の薬液投与具１ａおよびシリンジ用ガスケット押圧具３ａについて、説明する。
この実施例の薬液投与具１ａおよびガスケット押圧具３ａと、上述した薬液投与具１ａおよびガスケット押圧具３ａは、音発生に関する構成は、同じであり、相違点は、シリンジ装着部材の形態、ガスケット押圧用組立体の構造である。同じ部位については、同じ符号を付してあり、上述の説明を参照するものとする。
【００４４】
この実施例のガスケット押圧具３ａに用いられているシリンジ装着部材４ａは、図３７ないし図４３に示すように、シリンジ装着部４３ａを備える。また、上述した実施例と同様に、ガスケット押圧用組立体６ａを移動可能に収納している。
【００４５】
具体的には、シリンジ装着部材４ａは、シリンジ２のバレル２０のフランジ２３を収納するシリンジ装着部４３ａを備えている。この実施例では、シリンジ装着部４３ａは、図３７，図４２に示すように、本体部４０ａに設けられたシリンジ２のフランジ２３を一方の短径側より挿入可能（言い換えれば、横入れ可能）なスリットにより形成されている。
【００４６】
このため、シリンジ２が、シリンジ装着部材４ａに装着された状態では、シリンジ２のフランジ２３の一方の短径部および向かい合う２つの長径部が、シリンジ装着部材４ａ内に収納され、他端側の短径部が露出した状態となっている。また、シリンジ装着部材４ａ内に収納されたフランジの一方の短径部の端部は、スリット開口４４ａより、露出している。この実施例では、シリンジ装着部４３ａは、横長のＵ字状のスリットにより形成されている。
【００４７】
また、この実施例においても、シリンジ装着部材４ａは、図３７ないし図４３に示すように、シリンジ装着部（フランジ収納部）４３ａより先端側に延びる略半筒部４１ａを備えており、装着されたシリンジ２の基端部を保持するものとなっている。さらに、シリンジ装着部材４ａは、シリンジ装着部（フランジ収納部）４３ａより後端側に延びる筒状部４２ａを備えている。この筒状部４２ａの内部に、ガスケット押圧用組立体の収納部４７を備える。さらに、シリンジ装着部材４ａは、収納部４７より後方に延びる内腔４５を備え、内腔４５の内面には、シリンジ装着部材側螺合部４６が設けられている。この実施例では、シリンジ装着部材側螺合部４６は、突起となっており、具体的には、短い螺旋状突起となっている。
【００４８】
この実施例のガスケット押圧用組立体６ａは、図３５、図４３、図４４に示すように、ガスケット押圧部材８ａと、音発生部材９ａと、ジョイント部材１５とからなる。ガスケット押圧部材８ａは、図３６、図４３ないし図４５に示すように、ガスケット７内に進入し、ガスケットの内面と接触するガスケット内進入部８０と、ガスケット内進入部８０の後部に形成されたフランジ部８１と、フランジ部８１より後方に延びる環状部８２ａと、環状部８２ａの後端部に形成された環状リブ６６を備える。環状リブ６６には、切欠６７が設けられている。ガスケット内進入部８０は、先端閉塞部と、フランジ部８１より先端閉塞部の後端まで延びるテーパー状縮径部を備えている。
【００４９】
そして、この実施例のガスケット押圧部材８ａにおいても、上述した実施例と同様に、図４５に示すように、内部に、音発生部材収納部と、軸方向に伸びる壁部８８，８９と、プランジャ当接部６２と、柱状凹部８５と、中心に、柱状凹部８５を有する円筒部と、円筒部より側方に延びる４つの仕切部を備えている。ガスケット押圧部材８ａの内部形態は、上述したガスケット押圧部材８と同じである。
【００５０】
この実施例の音発生部材９ａは、図４３，図４４に示すように、筒状本体部９０ａと、筒状本体部９０ａの内面より先端方向に突出する爪部９２，９３と、筒状本体部９０ａの下部側面に設けられた複数の突出部９８を備えている。爪部９２，９３の形態は、上述した音発生部材９と同じである。
【００５１】
この実施例のガスケット押圧部材８ａにおいて、上記のように、ガスケット押圧部材８ａの内部形態は、上述したガスケット押圧部材８と同じであり、音発生部材９ａの形態も上述した音発生部材９と同じであり、この実施例のガスケット押圧部材８ａにおける音発生機構は、上述したものと同じである。
【００５２】
この実施例のガスケット押圧用組立体６ａでは、ガスケット押圧部材８ａの後部に配置されたジョイント部材１５を備えている。ガスケット押圧部材８ａは、音発生部材９ａを収納し、開口する後部に、ジョイント部材１５が装着されている。ジョイント部材１５は、円盤状底面１８ａを有する短い円筒部１８と、円筒部１８より後方に延びる小径円筒部１７を備える。円筒部１８の上端には、内側に突出するリブ１９を備える。
【００５３】
ジョイント部材１５は、このリブ１９をガスケット押圧部材８ａの後端に形成された環状リブ６６の切欠６７に進入させた後、回転させることにより、図４３に示すように、ガスケット押圧部材８ａに取り付けられている。また、ジョイント部材１５は、小径円筒部１７の内面より、先端方向かつジョイント部材の中心方向に延びる複数の傾斜突出部６５を備えている。複数の傾斜突出部６５は、ジョイント部材１５の中心軸に対して、等角度（小円筒部１７の内周方向に等間隔）となるように配置されている。
【００５４】
この実施例におけるプランジャ５ａは、先端部であり、かつ爪弾きリブ５４より後端側に形成された環状リブ５８を有する。ジョイント部材１５の複数の傾斜突出部６５が形成する最小内径部における内径は、プランジャ５ａの環状リブ５８の外径より、若干大きいものとなっている。このため、ジョイント部材１５は、プランジャ５ａの脱け止め機能を備えている。
【００５５】
また、この実施例におけるプランジャ５ａは、爪弾きリブ５４を含め、上述したプランジャ５と同様の先端部の構成を備えており、プランジャ５ａの環状の当接部５６が、ガスケット押圧用組立体６ａを押圧可能に当接した状態において、爪弾きリブ５４は、爪先部９２ａ，９３ａの側方に位置する。そして、プランジャ５ａの回転により、プランジャ５ａが前進し、ガスケット押圧用組立体６ａを前進させるとともに、爪弾きリブ５４は、爪先部９２ａ，９３ａに当接し、爪部９２，９３を変形させて通過するとともに、通過後に復元した爪部９２，９３の壁部８８，８９への当接により、音が発生する。
【００５６】
なお、上述したすべての実施例において、ガスケット押圧部材は、図４９に示す実施例の薬液投与具１ｂおよびシリンジ用ガスケット押圧具３ｂが備えるタイプのものであってもよい。この実施例におけるガスケット押圧部材８ｂは、実質的に、ガスケット７ａ内に進入する部分を持たない。このため、ガスケット押圧用組立体６ｂも、実質的に、ガスケット７ａ内に進入する部分を持たない。そして、このガスケット押圧部材８ｂは、先端部に、ガスケット７ａの後端面に当接し、押圧可能な押圧部８１ｂを備えている。なお、この実施例の薬液投与具１ｂおよびシリンジ用ガスケット押圧具３ｂも上述した薬液投与具１，１ａおよびシリンジ用ガスケット押圧具３，３ａと同様の音発生機構を備えている。
【００５７】
次に、本発明の薬液投与具１を用いた治療方法の一例として、内視鏡的粘膜下層剥離術（ＥＳＤ；Ｅｎｄｏｓｃｏｐｉｃ  Ｓｕｂｍｕｃｏｓａｌ  Ｄｉｓｓｅｃｔｉｏｎ）又は内視鏡的粘膜切除術（ＥＭＲ；Ｅｎｄｏｓｃｏｐｉｃ  Ｍｕｃｏｓａｌ  Ｒｅｓｓｅｃｔｉｏｎ）を行う場合を説明する。まず、内視鏡的粘膜下層剥離術について説明する。この手技は、通常２名で行われる。
【００５８】
第１術者がヒアルロン酸ナトリウム溶液の注入を行い、第２術者が、内視鏡画像の確認の患部切除を行う。
第１術者は、ヒアルロン酸ナトリウム溶液１１が充填されたプレフィルドシリンジ２にシリンジ用ガスケット押圧具３が装着された薬液投与具１を準備する。準備した薬液投与具１が、図１および図２に示す状態の場合には、プランジャ５を回転させて、図７に示すように、ガスケット７内にガスケット押圧用組立体６を装着させる。そして、プレフィルドシリンジ２よりシールキャップ２１を取り外す。
【００５９】
次に、第１術者は、図５０のように、穿刺デバイス１１０の内側カテーテル１１２の基端部にシリンジ２の先端部を接続するとともに、針１１２ａを外側カテーテル１１４から突出させる。その状態にて、プランジャ５を回転させ、内側カテーテル１１２及び針１１２ａの内腔をヒアルロン酸ナトリウム溶液１１で満たすプライミングを行う。なお、穿刺デバイス１１０における内側カテーテル１１２は、外側カテーテル１１４に対して規制された範囲内で軸方向に摺動可能となっている。内側カテーテル１１２の先端には、針１１２ａが接続されている。外側カテーテル１１４に対して内側カテーテル１１２が、後退した位置にあるときは、針１１２ａは、外側カテーテル１１４内に収納される。外側カテーテル１４４に対して、内側カテーテル１１２が前進した位置にあるとき、針１１２ａは、外側カテーテル１１４の先端から突出する。
【００６０】
次に、第２術者は、針１１２ａを外側カテーテル１１４内に収納する。そして、内視鏡１１６の挿入孔１１６ａ（図５１参照）に、穿刺デバイス１１０を挿入する。続いて、第２術者は、図５１のように、患者の消化管内で、内視鏡１１６の先端から針１１２ａを突出させる。そして、病変部１２８周囲の粘膜１２０を貫通し、粘膜下層１２１に到達する。第２術者は、針の粘膜層１２１への到達を第１術者に伝える。
【００６１】
第２術者は、第１術者に、注入のためのクリック音数を伝える。第１術者は、伝えられたクリック音数分、プランジャ５を回転させて、粘膜下層１２１へのヒアルロン酸ナトリウム溶液１１の注入を行う。第２術者は、クリック音数を確認することにより、所定量のヒアルロン酸ナトリウム溶液１１が注入されたことを聴覚により確認する。第２術者は、内視鏡画像を確認し、必要により、第１術者に、最注入のためのクリック音数を伝える。第１術者は、伝えられたクリック音数分、プランジャ５を回転させて、粘膜下層１２１へのヒアルロン酸ナトリウム溶液１１の注入を行う。この操作を必要回数行い、病変部１２８を目的とする大きさまで隆起させると、図５２に示す状態となる。この状態では、病変部１２８下の粘膜下層１２１は、筋層１２２から剥離された状態となる。
【００６２】
第２術者は、 第１術者にヒアルロン酸ナトリウム溶液の注入操作終了を告げる。それを聞いた第１術者は、プランジャ５を逆回転させて加圧を解除する。これにより、シリンジ２からのヒアルロン酸ナトリウム溶液１１の排出が止まる。
次に、第２術者は、図５３に示すように、内視鏡１１６の鉗子孔１１６ａに剥離デバイス１３４（針状メス等）を挿入し、剥離デバイス１３４を用いて病変部１２８を取り囲むように粘膜１２０を切る。続いて、第２術者は、図５４に示すように、内視鏡１１６の鉗子孔１１６ａに、把持デバイス１３６を挿入し、把持デバイス１３６を用いて、病変部１２８を有する粘膜１２０を剥離し、剥離した粘膜１２０を体外に取り出す。
【００６３】
一方、内視鏡的粘膜切除術を行う場合、上述した剥離デバイス１３４による粘膜１２０の剥離に代えて、図５３において仮想線で示す切除デバイス１３８が用いられる。切除デバイス１３８は、スネアリング１３８ａ（ループ状の電気メス）を有する。第２術者は、患者の体内で内視鏡１１６からスネアリング１３８ａを突出させ、隆起させた病変部１２８周囲の粘膜１２０にスネアリング１３８ａを引っ掛ける。そして、スネアリング１３８ａを絞り、スネアリング１３８ａに高周波電流を流し、病変部１２８を有する粘膜１２０が切断される。切断した粘膜１２０は、図５４に示した把持デバイス１３６により回収する。その他の手技工程は、上述した内視鏡的粘膜下層剥離術と同様に行う。
【符号の説明】
【００６４】
１  薬液投与具
２  プレフィルドシリンジ
３  シリンジ用ガスケット押圧具
４  シリンジ装着部材
５  プランジャ
６  ガスケット押圧用組立体
８  ガスケット押圧部材
９  音発生部材
２０  バレル
４３  シリンジ装着部
【図１】
2019170977.tif 000003
【図２】
2019170977.tif 000004
【図３】
2019170977.tif 000005
【図４】
2019170977.tif 000006
【図５】
2019170977.tif 000007
【図６】
2019170977.tif 000008
【図７】
2019170977.tif 000009
【図８】
2019170977.tif 000010
【図９】
2019170977.tif 000011
【図１０】
2019170977.tif 000012
【図１１】
2019170977.tif 000013
【図１２】
2019170977.tif 000014
【図１３】
2019170977.tif 000015
【図１４】
2019170977.tif 000016
【図１５】
2019170977.tif 000017
【図１６】
2019170977.tif 000018
【図１７】
2019170977.tif 000019
【図１８】
2019170977.tif 000020
【図１９】
2019170977.tif 000021
【図２０】
2019170977.tif 000022
【図２１】
2019170977.tif 000023
【図２２】
2019170977.tif 000024
【図２３】
2019170977.tif 000025
【図２４】
2019170977.tif 000026
【図２５】
2019170977.tif 000027
【図２６】
2019170977.tif 000028
【図２７】
2019170977.tif 000029
【図２８】
2019170977.tif 000030
【図２９】
2019170977.tif 000031
【図３０】
2019170977.tif 000032
【図３１】
2019170977.tif 000033
【図３２】
2019170977.tif 000034
【図３３】
2019170977.tif 000035
【図３４】
2019170977.tif 000036
【図３５】
2019170977.tif 000037
【図３６】
2019170977.tif 000038
【図３７】
2019170977.tif 000039
【図３８】
2019170977.tif 000040
【図３９】
2019170977.tif 000041
【図４０】
2019170977.tif 000042
【図４１】
2019170977.tif 000043
【図４２】
2019170977.tif 000044
【図４３】
2019170977.tif 000045
【図４４】
2019170977.tif 000046
【図４５】
2019170977.tif 000047
【図４６】
2019170977.tif 000048
【図４７】
2019170977.tif 000049
【図４８】
2019170977.tif 000050
【図４９】
2019170977.tif 000051
【図５０】
2019170977.tif 000052
【図５１】
2019170977.tif 000053
【図５２】
2019170977.tif 000054
【図５３】
2019170977.tif 000055
【図５４】
2019170977.tif 000056